(57)【要約】【課題】乾燥剤の交換が容易な車両用灯具を提供すること。【解決手段】乾燥剤１３の交換が、灯室６に着脱可能なキャップ部材１０，１０Ａ，１０Ｂ，１０Ｃの交換によって行え、乾燥剤１３の交換が容易な車両用灯具１を提供できる。また、乾燥剤１３がキャップ部材１０，１０Ａ，１０Ｂ，１０Ｃで撹拌可能に収納されているので、車の振動等によって撹拌されることによって、乾燥剤１３の空気と接する面が変化し、乾燥剤１３による吸湿を効率的に行える。したがって、温度変化により前面レンズ７等に水滴による曇りが生じにくくできる。【選択図】図２
2014089877.tif 000002
【特許請求の範囲】
【請求項１】
前面レンズとランプハウジングとで形成される灯室と、
前記灯室に配置され光を出射する光源と、
前記光源から出射された光を前記前面レンズ側に照射する光学部材と、
前記灯室に着脱可能なキャップ部材とを備え、
前記キャップ部材は、
乾燥剤が撹拌可能に配置されている収納部と、
前記乾燥剤と前記灯室との間に、空気を透過する通気部とを有する
ことを特徴とする車両用灯具。
【請求項２】
前記乾燥剤は、前記収納部に挿嵌され、着脱可能な収納容器に収められ、
前記収納容器は、前記通気部を備えている
ことを特徴とする請求項１に記載の車両用灯具。
【請求項３】
前記収納容器は、前記収納部と接する面に溝部が形成されている
ことを特徴とする請求項２に記載の車両用灯具。
【請求項４】
前記収納部は、前記キャップ部材に形成された凹部である
ことを特徴とする請求項１から請求項３のいずれか一項に記載の車両用灯具。
【請求項５】
前記収納部は、前記灯室と外部との間に蓋部を備えている
ことを特徴とする請求項１から請求項４のいずれか一項に記載の車両用灯具。
【発明の詳細な説明】
【技術分野】
【０００１】
本発明は、車体に取り付けられる車両用灯具に関する。
【背景技術】
【０００２】
車体に取り付けられる車両用灯具として、前面レンズとランプとランプハウジングとを備えたものが知られている。ランプは、前面レンズとランプハウジングとで形成される灯室に収められている。ここで、灯室は、雨等の水の浸入を防ぐために密封構造となっている。
【０００３】
灯室は密封されていても、灯室内の構成部材から放出される湿分や、灯室内の空気中の湿度が上昇する。灯室内の湿度が上昇すると、温度変化により前面レンズ等に水滴による曇りが容易に生じる。
【０００４】
光源を出し入れ可能なランプハウジングの後側開口部を塞いで密閉するバックカバーの灯室側に乾燥剤を配設し、灯室内の乾燥状態を保持する車両用灯具が知られている（例えば、特許文献１参照）。
また、灯室の開口部に、乾燥剤パックが内部に両面テープで固定された封止用カプセルを嵌合させた車両用灯具が知られている（例えば、特許文献２参照）。
【先行技術文献】
【特許文献】
【０００５】
【特許文献１】特許第４７７５２４９号公報
【特許文献２】特開２０１１−１１９０６２号公報
【発明の概要】
【発明が解決しようとする課題】
【０００６】
しかしながら、乾燥剤を交換する際には、乾燥剤自体あるいは乾燥剤パックを取り付けられた部材から取り外して交換する必要があり、交換が困難である。
【０００７】
本発明は、このような事情に鑑みてなされたものであり、その目的は、乾燥剤の交換が容易な車両用灯具を提供することにある。
【課題を解決するための手段】
【０００８】
このような目的を達成するために、本発明の車両用灯具は、前面レンズとランプハウジングとで形成される灯室と、前記灯室に配置され光を出射する光源と、前記光源から出射された光を前記前面レンズ側に照射する光学部材と、前記灯室に着脱可能なキャップ部材とを備え、前記キャップ部材は、乾燥剤が撹拌可能に配置されている収納部と、前記乾燥剤と前記灯室との間に、空気を透過する通気部とを有することを特徴とする。
【０００９】
また、本発明の車両用灯具において、前記乾燥剤は、前記収納部に挿嵌され、着脱可能な収納容器に収められ、前記収納容器は、前記通気部を備えていることを特徴とする。
【００１０】
また、本発明の車両用灯具において、前記収納容器は、前記収納部と接する面に溝部が形成されていることを特徴とする。
【００１１】
また、本発明の車両用灯具において、前記収納部は、前記キャップ部材に形成された凹部であることを特徴とする。
【００１２】
また、本発明の車両用灯具において、前記収納部は、前記灯室と外部との間に蓋部を備えていることを特徴とする。
【発明の効果】
【００１３】
このような構成からなる車両用灯具によれば、乾燥剤の交換が容易な車両用灯具を提供できる。また、乾燥剤が、車の振動等によって撹拌されることによって、空気と接する面が変化し、乾燥剤による吸湿を効率的に行える。
【図面の簡単な説明】
【００１４】
【図１】第１実施形態におけるヘッドランプ装置の概略断面図。
【図２】（ａ）は、蓋のランプハウジング側から見た概略斜視図、（ｂ）は、（ａ）におけるＡ−Ａ断面図。
【図３】第２実施形態における（ａ）は、キャップ部材の正面図、（ｂ）は（ａ）におけるＢ−Ｂ断面図。
【図４】（ａ）は、収納容器４０正面図、（ｂ）は（ａ）におけるＣ−Ｃ断面図。
【図５】第３実施形態における（ａ）は、蓋のランプハウジング側から見た概略斜視図、（ｂ）は（ａ）におけるＤ−Ｄ断面図。
【図６】第４実施形態における（ａ）は、キャップ部材の正面図、（ｂ）は背面図、（ｃ）は側面図。
【図７】図６（ａ）におけるＥ−Ｅ断面図。
【発明を実施するための形態】
【００１５】
以下、図面を参照して、本発明を実施するための形態（以下、実施形態）について詳細に説明する。なお、実施形態の説明の全体を通して同じ要素には同じ符号を付している。
（第１実施形態）
図１は、本実施形態における車両用灯具としてのヘッドランプ装置１の概略断面図である。
ヘッドランプ装置１は、放電バルブ２とシェード２Ａとからなり、放電バルブ２が着脱可能に取り付けられるソケット３と、放電バルブ２の光を反射し、ソケット３が着脱可能に取り付けられる光学部材としてのリフレクタ４と、エクステンション５と、これらを収める灯室６とを備えている。
【００１６】
灯室６は、前面レンズ７とランプハウジング８とで形成されている。また、灯室６には、放電バルブ２を交換するための開口部としての概略形状が円形のバルブ交換用開口部９が形成されている。
さらに、ヘッドランプ装置１は、バルブ交換用開口部９を塞いで灯室６を密封し、灯室６に着脱可能な概略形状が底を有する円筒形のキャップ部材１０を備えている。
【００１７】
放電バルブ２は、その点灯のために高電圧を必要とするため、ソケット３および高圧コード２０を介して高電圧発生回路３０に接続されている。この高電圧発生回路３０は、始動回路および安定回路からなり、外部を金属製のケースで覆って構成されており、灯室６内においてランプハウジング８とリフレクタ４との間に配置されている。
【００１８】
リフレクタ４は、光源Ａから出射された光を前面レンズ７に向けて反射させ、灯室６内に、上下方向および左右方向に傾動可能に設けられている。
エクステンション５は、灯室６内のリフレクタ４の前方に、その開口周縁形状に沿って設けられている。
【００１９】
キャップ部材１０は、灯室６との間に通気部１１を有する収納部１２を有している。収納部１２には、乾燥剤１３が収納されている。また、キャップ部材１０を取り外しやすくするために、つまみ１４が設けられている。
【００２０】
図２（ａ）に本実施形態におけるキャップ部材１０のランプハウジング８側から見た概略斜視図を示した。図２（ｂ）は、（ａ）におけるＡ−Ａ断面図である。なお、概略斜視図では、構造を分かりやすくするために通気部１１は省略してある。同様に、以下の実施形態の概略斜視図においても、通気部１１を省略している。
図２において、キャップ部材１０は、灯室６のバルブ交換用開口部９の周りに形成された嵌合部としての凸部１５と密着する可撓性の封止部１６とを備えている。なお、本実施形態においては、バルブ交換用開口部９が形成されたランプハウジング８の壁を凸部１５として利用してもよい。
【００２１】
キャップ部材１０は、キャップ部材１０の円周に沿って形成された円筒形状の封止部１６を備えている。封止部１６は、凸部１５を挟み込んで固定されている。封止部１６は可撓性を有し、封止部１６の開口幅（内径）は、凸部１５の開口幅（外径）より小さく形成されている。したがって、封止部１６は、凸部１５を覆うように取り付けられ、凸部１５と封止部１６は、確実に密着し、バルブ交換用開口部９を塞いで灯室６を密封する。
【００２２】
また、封止部１６は可撓性を有しているので、図１に示したつまみ１４を指、治具等で挟んで引っ張ることにより、ランプハウジング８から容易に取り外すことができる。
封止部１６の材質としては、エラストマーとしてのゴム等を用いることができる。
【００２３】
収納部１２は、キャップ部材１０に形成された内壁１７で囲まれた凹部１８と凹部１８を覆って塞ぐ通気部１１とで形成されている。
通気部１１は、溶着、接着、粘着、機械的な嵌合等によって内壁１７に取り付けられている。また、通気部１１は、乾燥剤１３がランプハウジング８内に流入するのを防止し、空気と湿分を透過する。
通気部１１としては、乾燥剤１３が収納部１２から抜け出ない程度の孔の大きさを有していればよく、乾燥剤１３の形状、大きさに応じて、紙、不織布、金属や樹脂やセラミックスからなる網、ＰＴＦＥ(Ｐｏｌｙ  Ｔｅｔｒａ  Ｆｌｕｏｒｏ  Ｅｔｈｙｌｅｎｅ)膜等を用いることができる。
【００２４】
乾燥剤１３は、収納部１２に撹拌可能に収納されている。撹拌可能とは、乾燥剤１３の塊、粒子、粉等が車両の振動等によって揺すられて、収納部１２の中で自由に動き回ることができるということである。
乾燥剤１３としては、塩化マグネシウムと酸化マグシウムの混合物、塩化カルシウム、消石灰、シリカゲル等を用いることができる。特に、塩化マグネシウムと酸化マグシウムの混合物は、吸湿力が高く、膨張して固まって吸湿した水を保持するので、液の漏出が少なく好ましい。
また、灯室６の容量に応じて、乾燥剤１３の量を適宜変えることができる。具体的には、灯室６の容量が大きくなるほど、乾燥剤１３の量も増やすこととしてもよい。
【００２５】
（第２実施形態）
図３（ａ）に、本実施形態におけるキャップ部材１０Ａの正面図を、（ｂ）に（ａ）におけるＢ−Ｂ断面図を示した。
本実施形態は、カートリッジタイプの収納容器４０を備えている点が、第１実施形態と主に異なる。
その他、通気部１１、乾燥剤１３等の材質、通気部１１の取り付け方法等は、第１実施形態と同様のものを用い、同様の方法を用いることができる。以下の実施形態においても同様である。
また、本実施形態のキャップ部材１０Ａは、第１実施形態と同様に、灯室６のバルブ交換用開口部９の周りに形成された嵌合部としての凸部１５と密着する可撓性の封止部１６Ａを備えている。また、封止部１６Ａには、凸部１５との密着性を向上させるための突起１６０Ａが、凸部１５の周りにわたって複数形成されている。突起１６０Ａに集中的に力が加わることにより、密着性が向上し、複数設けられていることにより、密封性も向上する。
【００２６】
収納容器４０は、キャップ部材１０Ａの収納部１２に収められる。本実施形態の内壁１７Ａの先端には、収納部１２に収められた収納容器４０を止めるための突起１７０Ａが形成されている。突起１７０Ａは、収納部１２の開口の周りにわたって形成されていてもよいし、部分的に形成されていてもよい。
【００２７】
図４（ａ）に収納容器４０の正面図を、（ｂ）に（ａ）におけるＣ−Ｃ断面図を示した。
収納容器４０は、乾燥剤１３が撹拌可能に収納される本体部４１と、本体部４１を覆って塞ぐ通気部１１Ａを備えている。
また、収納容器４０は、収納部１２と密着する側面４１０に溝部４１１が複数個形成されている。これは、収納容器４０を収納部１２に収める際に、収納部１２から空気を逃げやすくして、収納容器４０を収納部１２に収めやすくするために形成されている。
【００２８】
（第３実施形態）
図５（ａ）に本実施形態におけるキャップ部材１０Ｂのランプハウジング８側から見た概略斜視図を示した。図５（ｂ）は、（ａ）におけるＤ−Ｄ断面図である。
第１実施形態における開口部は、バルブ交換用開口部９であったがこれに限らない。例えば、開口部９Ａは、図１に示したランプハウジング８の側面、底面、上面に形成されていてもよい。
本実施形態の場合、例えば、ランプハウジング８の上面に開口部９Ａを形成した。また、開口部９Ａの周りに灯室６の外側に向かって形成された凸部である円筒形のボス１５Ａが形成されている。
【００２９】
図５において、キャップ部材１０Ｂは、ボス１５Ａと密着する可撓性の円筒状の封止部１６Ｃを備えている。
封止部１６Ｃは、ボス１５Ａの外周に密着して嵌め込まれる。封止部１６Ｃは可撓性を有し、封止部１６Ｃの内径は、ボス１５Ａの外径より小さく形成されている。したがって、封止部１６Ｃは、広がるようにボス１５Ａに挿入され、封止部１６Ｃとボス１５Ａとは、確実に密着し、開口部９Ａを塞いで灯室６を密封する。
【００３０】
本実施形態では、収納部１２Ａは、通気部１１と、封止部１６Ｃと、蓋部１９とで形成されている。
通気部１１は、円筒形の封止部１６Ｃの内側に、円筒の内周に沿って形成された凸部１６Ｄに当たるように、灯室６の外側から取り付けられている。
蓋部１９は、灯室６の外側から円筒形の封止部１６Ｃの片側を塞ぐように取り付けられ、通気部１１と、封止部１６Ｃと、蓋部１９とて収納部１２Ａが形成される。
蓋部１９は、例えば、樹脂板であるＡＢＳ樹脂、その他の樹脂、金属板、セラミックス等を用いることができる。蓋部１９は、溶着、接着、粘着、機械的な嵌合等によって封止部１６Ｃに取り付けられている。
【００３１】
（第４実施形態）
図６（ａ）に本実施形態におけるキャップ部材１０Ｃの正面図を、（ｂ）に背面図を、（ｃ）に側面図を示した。また、図７には、図６（ａ）におけるＥ−Ｅ断面図を示した。キャップ部材１０Ｃは、概略形状が底を有する円筒形である。
本実施形態の場合、第３実施形態と同様に、例えば、図１に示したランプハウジング８の上面に開口部９Ｂを形成した。ただし、第２実施形態で形成した開口部９Ａの周りに灯室６の外側に向かって形成された凸部である円筒形のボス１５Ａに相当するものは、形成されていない。
本実施形態のキャップ部材１０Ｃは、例えば、樹脂であるＡＢＳ樹脂、その他の樹脂を用いて形成することができる。
【００３２】
キャップ部材１０Ｃは、収納部１２と本体５０とを備えている。収納部１２には、乾燥剤１３が収められている。収納部１２は、キャップ部材１０Ｃに形成された凹部５１と凹部５１を覆って塞ぐ通気部１１とで形成されている。
また、本体５０は、樹脂成形により一体に形成された凸状の補強部５２を、灯室６（図１参照）の外側の円周に沿って等間隔に８カ所備えている。
【００３３】
また、キャップ部材１０Ｃは、開口部９Ｂに挿入される挿入部５３を備えている。挿入部５３の灯室６（図１参照）側には、爪部５３０が挿入部５３の円周に沿って等間隔に４カ所形成されている。挿入部５３を開口部９Ｂに挿入した際に爪部５３０は、ランプハウジング８側に傾斜５３１を持つように形成されている。
キャップ部材１０Ｃは、挿入部５３の根元に円周に沿って、凸部５４が形成され、凸部５４には、キャップ部材１０Ｃを円周方向に回転させる回転つまみ５４が１カ所設けられている。
【００３４】
キャップ部材１０Ｃの開口部９Ｂへの取り付けは、以下のように行う。
挿入部５３外周に、リング状のゴムパッキン６０を装着する。
ランプハウジング８には溝（図示せず）が４カ所設けられており、溝に爪部５３０が嵌るように開口部９Ｂに挿入部５３を挿入する。
このとき、ゴムパッキン６０は、ランプハウジング８と凸部５４にはさまれる。
【００３５】
挿入部５３を開口部９Ｂに挿入後、回転つまみ５４に指をかけ、爪部５３０の斜面５３１がランプハウジング８に沿って、キャップ部材１０Ｃが挿入方向に進む方向に回転させる。このとき、ランプハウジング８と凸部５４との距離が短くなり、ゴムパッキン６０が少し潰れた状態になり、キャップ部材１０Ｃによって、開口部９Ｂが密封される。
なお、本実施形態において、カートリッジタイプの収納容器を採用してもよい。
【００３６】
以上述べた実施形態によれば以下の効果がある。
乾燥剤１３の交換が、灯室６に着脱可能なキャップ部材１０，１０Ａ，１０Ｂ，１０Ｃの交換によって行え、乾燥剤１３の交換が容易な車両用灯具を提供できる。
また、乾燥剤１３がキャップ部材１０，１０Ａ，１０Ｂ，１０Ｃで撹拌可能に収納されているので、車の振動等によって撹拌されることによって、乾燥剤１３の空気と接する面が変化し、乾燥剤１３による吸湿を効率的に行える。したがって、温度変化により前面レンズ７等に水滴による曇りが生じにくくできる。
【００３７】
本発明は、以上説明した実施形態に限らない。
例えば、キャップ部材１０，１０Ａ，１０Ｂ，１０Ｃの大きさは、灯室６の大きさに応じた乾燥剤１３の量によって決めることができ、特に限定されない。
また、キャップ部材１０，１０Ａ，１０Ｂ，１０Ｃは、ランプハウジング８下部に設けられていてもよい。
また、つまみはどの第２、第３、第４実施形態においても設けることができる。
また、車両用灯具は、ヘッドランプ装置１に限定されず、リアランプ、ターンランプ等でもよい。
【００３８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３９】
１……ヘッドランプ装置、２……放電バルブ、２Ａ……シェード、３……ソケット、４……リフレクタ、５……エクステンション、６……灯室、７……前面レンズ、８……ランプハウジング、８Ａ……内側面、９，９Ａ，９Ｂ……バルブ交換用開口部、１０，１０Ａ，１０Ｂ，１０Ｃ……収納容器、１１……通気部、１２，１２Ａ……収納部、１３……乾燥剤、１４……つまみ、１５……凸部、１５Ａ……ボス、１６，１６Ａ，１６Ｂ…封止部、１６Ｃ……封止部、１６Ｄ……凸部、１６Ｄ……爪部、１６Ｅ……係合部、１６Ｆ……密着部、１７……溝、１８……凹部、１９……蓋部、２０……高圧コード、３０……高電圧発生回路、Ａ……光源。
【図１】
2014089877.tif 000003
【図２】
2014089877.tif 000004
【図３】
2014089877.tif 000005
【図４】
2014089877.tif 000006
【図５】
2014089877.tif 000007
【図６】
2014089877.tif 000008
【図７】
2014089877.tif 000009